(57)【要約】  情報処理装置は、操作対象の表示を行う表示部と、複数の押下点の検出が可能な接触検出部と、接触検出部が検出した複数の押下点のうち、隣接する押下点を接続して形成される第１の領域の外周距離が時間の経過と共に減少し、所定の値以下となるか否かを検出する第１の操作判定と、接触検出部が検出した複数の押下点のうち、隣接する押下点を接続して形成される第２の領域の外周距離が時間の経過と共に増加し、所定の値以上となるか否かを検出する第２の操作判定と、を行う制御部と、を備える。制御部は、第１の操作判定後、操作対象と第１の領域とで重複する部分がある場合には、操作対象を選択状態とし、第２の操作判定が行われた場所に応じた第１の動作を、操作対象に対して行う（図１）。
2012043360.tif 000002
【特許請求の範囲】
【請求項１】
操作対象の表示を行う表示部と、
複数の押下点の検出が可能な接触検出部と、
前記接触検出部が検出した複数の押下点のうち、隣接する押下点を接続して形成される第１の領域の外周距離が時間の経過と共に減少し、所定の値以下となるか否かを検出する第１の操作判定と、前記接触検出部が検出した複数の押下点のうち、隣接する押下点を接続して形成される第２の領域の外周距離が時間の経過と共に増加し、所定の値以上となるか否かを検出する第２の操作判定と、を行う制御部と、
を備え、
前記制御部は、前記第１の操作判定後、前記操作対象と前記第１の領域とで重複する部分がある場合には、前記操作対象を選択状態とし、前記第２の操作判定が行われた場所に応じた第１の動作を、前記操作対象に対して行うことを特徴とする情報処理装置。
【請求項２】
前記制御部は、前記第２の操作判定において、前記接触検出部が前記第１の領域を形成する押下点と同数の押下点を検出した場合に前記第２の操作判定を行う請求項１の情報処理装置。
【請求項３】
前記表示部は、前記操作対象が選択状態の場合に、前記操作対象の色彩を変更する請求項１又は２の情報処理装置。
【請求項４】
前記制御部は、所定の条件により、前記選択状態を解除する請求項１乃至３いずれか一に記載の情報処理装置。
【請求項５】
前記制御部は、前記第１の領域と重複する複数の前記操作対象に対し、前記第１の動作を行う請求項１乃至４いずれか一に記載の情報処理装置。
【請求項６】
前記第１の動作は、前記第２の操作判定が行われた場所に前記操作対象を移動する請求項１乃至５いずれか一に記載の情報処理装置。
【請求項７】
前記制御部は、前記選択状態で、予めインストールされたソフトウェアを起動することによって前記ソフトウェアの起動モードを決定する請求項１乃至６いずれか一に記載の情報処理装置。
【請求項８】
前記制御部は、前記第１の操作判定後、前記操作対象と前記第１の領域とで重複する部分がない場合には、予め定められた第２の動作を行い、前記第２の操作判定が行われた際に、前記第２の動作に対応した第３の動作を行う請求項１乃至７いずれか一に記載の情報処理装置。
【請求項９】
操作対象の表示を行う表示部と、
複数の押下点の検出が可能な接触検出部と、
を備える情報処理装置の制御方法であって、
前記接触検出部が検出した複数の押下点のうち、隣接する押下点を接続して形成される第１の領域の外周距離が時間の経過と共に減少し、所定の値以下となるか否かを検出する第１の操作判定工程と、
前記操作対象と前記第１の領域とで重複する部分がある場合には、前記操作対象を選択する工程と、
前記接触検出部が検出した複数の押下点のうち、隣接する押下点を接続して形成される第２の領域の外周距離が時間の経過と共に増加し、所定の値以上となるか否かを検出する第２の操作判定工程と、
前記第２の操作判定工程が行われた場所に応じた第１の動作を、前記操作対象に対して行う工程と、
を含むことを特徴とする情報処理装置の制御方法。
【請求項１０】
操作対象の表示を行う表示部と、
複数の押下点の検出が可能な接触検出部と、
を備える情報処理装置を構成するコンピュータに実行させるプログラムであって、
前記接触検出部が検出した複数の押下点のうち、隣接する押下点を接続して形成される第１の領域の外周距離が時間の経過と共に減少し、所定の値以下となるか否かを検出する第１の操作判定処理と、
前記操作対象と前記第１の領域とで重複する部分がある場合には、前記操作対象を選択する処理と、
前記接触検出部が検出した複数の押下点のうち、隣接する押下点を接続して形成される第２の領域の外周距離が時間の経過と共に増加し、所定の値以上となるか否かを検出する第２の操作判定処理と、
前記第２の操作判定処理が行われた場所に応じた第１の動作を、前記操作対象に対して行う処理と、
を前記コンピュータに実行させるプログラム。
【発明の詳細な説明】
【技術分野】
【０００１】
［関連出願についての記載］
本発明は、日本国特許出願：特願２０１０−２１８４６４号（２０１０年９月２９日出願）の優先権主張に基づくものであり、同出願の全記載内容は引用をもって本書に組み込み記載されているものとする。
本発明は、情報処理装置、その制御方法及びプログラムに関する。特に、複数の押下点の検出が可能な検出デバイスを備える情報処理装置に関する。
【背景技術】
【０００２】
携帯電話や携帯用ゲーム機などの情報処理装置の操作は、その本体に取り付けられた操作キーだけではなく、タッチパネルを用いて行われることも多い。特に、近年の情報処理装置は高精細な表示画面を持つものも多く、そのような情報処理装置においては、アイコン表示とタッチパネル操作を組み合わせることで直感的な操作を可能にしている。このようなユーザーインターフェイスを持つ情報処理装置の一例を図２示す。図２に示す情報処理装置ではタッチパネルと、その下に設けられた操作キーにより操作を行う。【０００３】
ここで、特許文献１において、タッチパネル上で２本の指により操作し、アイコンを選択する技術が開示されている。
【先行技術文献】
【特許文献】
【０００４】
【特許文献１】特開２００１−３５６８７８号公報
【発明の概要】
【発明が解決しようとする課題】
【０００５】
上記特許文献１の全開示内容はその引用をもって本書に繰込み記載する。以下の分析は、本発明の観点からなされたものである。【０００６】
上述のように、タッチパネルによる操作は直感的に行うことが可能であり、非常に操作性に優れたものであるが、情報処理装置に記憶したファイルやフォルダ等を表現したアイコンをタッチパネルの操作によって移動させることは、プログラムを起動するといった通常の操作と比較すると容易なものではない。プログラムの起動であれば、特定のプログラムを表現しているアイコンをダブルクリック等すれば良いが、アイコンの移動に代表されるような、アイコンの選択後、選択したアイコンに対して何らかの操作を行う場合はより複雑な操作が必要となる。【０００７】
タッチパネル操作によって、アイコンを移動させるための方法の一例としては、移動させたいアイコンを一定時間以上長く押す（長押し）ことで、情報処理装置をアイコン移動モードに遷移させ、その後、アイコンを移動させたい場所でアイコン移動モードを解除する方法が考えられる。この場合には、アイコン移動モードへ遷移させるためにアイコンを長押しし、その後にアイコンを移動させるという２段階の操作が必要である。【０００８】
また、アイコンを移動させるための別の方法としては、情報処理装置上でサブメニューを表示させ、そのサブメニューから切り取りといった操作を選択し、移動させたいアイコンを選択する。その後、アイコンを移動させたい場所で再度サブメニューを表示させ、貼り付けといった操作を選択する方法が考えられる。【０００９】
これらの方法はいずれも、タッチパネルで操作することの利点である、直感的で分かり易い操作という観点から問題がある。さらに、移動を行いたいアイコンが複数存在する場合には、移動させたいアイコンを一つ一つ選択してから移動させる必要があり、タッチパネルを用いた簡便な操作という点からは程遠いものとなる。【００１０】
また、特許文献１に開示された技術では、複数のアイコンを選択する際に、２本の指で形成される矩形の領域に存在するアイコンの選択しか行えないため、アイコン選択時の分かり易さの点から問題がある。【００１１】
以上のとおり、従来技術には、解決すべき問題点が存在する。【００１２】
本発明の一側面において、直感的な方法によりアイコン等の操作が可能な、情報処理装置、その制御方法及びプログラム、が望まれる。
【課題を解決するための手段】
【００１３】
本発明の第１の視点によれば、操作対象の表示を行う表示部と、複数の押下点の検出が可能な接触検出部と、前記接触検出部が検出した複数の押下点のうち、隣接する押下点を接続して形成される第１の領域の外周距離が時間の経過と共に減少し、所定の値以下となるか否かを検出する第１の操作判定と、前記接触検出部が検出した複数の押下点のうち、隣接する押下点を接続して形成される第２の領域の外周距離が時間の経過と共に増加し、所定の値以上となるか否かを検出する第２の操作判定と、を行う制御部と、を備え、前記制御部は、前記第１の操作判定後、前記操作対象と前記第１の領域とで重複する部分がある場合には、前記操作対象を選択状態とし、前記第２の操作判定が行われた場所に応じた第１の動作を、前記操作対象に対して行う情報処理装置が提供される。【００１４】
本発明の第２の視点によれば、操作対象の表示を行う表示部と、複数の押下点の検出が可能な接触検出部と、を備える情報処理装置の制御方法であって、前記接触検出部が検出した複数の押下点のうち、隣接する押下点を接続して形成される第１の領域の外周距離が時間の経過と共に減少し、所定の値以下となるか否かを検出する第１の操作判定工程と、前記操作対象と前記第１の領域とで重複する部分がある場合には、前記操作対象を選択する工程と、前記接触検出部が検出した複数の押下点のうち、隣接する押下点を接続して形成される第２の領域の外周距離が時間の経過と共に増加し、所定の値以上となるか否かを検出する第２の操作判定工程と、前記第２の操作判定工程が行われた場所に応じた第１の動作を、前記操作対象に対して行う工程と、を含む情報処理装置の制御方法が提供される。本方法は、操作対象の表示を行う表示部と、複数の押下点の検出が可能な接触検出部と、を備える情報処理装置という、特定の機械に結びつけられている。【００１５】
本発明の第３の視点によれば、操作対象の表示を行う表示部と、複数の押下点の検出が可能な接触検出部と、を備える情報処理装置を構成するコンピュータに実行させるプログラムであって、前記接触検出部が検出した複数の押下点のうち、隣接する押下点を接続して形成される第１の領域の外周距離が時間の経過と共に減少し、所定の値以下となるか否かを検出する第１の操作判定処理と、前記操作対象と前記第１の領域とで重複する部分がある場合には、前記操作対象を選択する処理と、前記接触検出部が検出した複数の押下点のうち、隣接する押下点を接続して形成される第２の領域の外周距離が時間の経過と共に増加し、所定の値以上となるか否かを検出する第２の操作判定処理と、前記第２の操作判定処理が行われた場所に応じた第１の動作を、前記操作対象に対して行う処理と、を前記コンピュータに実行させるプログラムが提供される。なお、このプログラムは、コンピュータが読み取り可能な記憶媒体に記録することができる。即ち、本発明は、コンピュータプログラム製品として具現することも可能である。記憶媒体は、非トランジェント（ｎｏｎ−ｔｒａｎｓｉｅｎｔ）なものとすることができる。
【発明の効果】
【００１６】
本発明の各視点によれば、直感的な方法によりアイコン等の操作が可能な情報処理装置、その制御方法及びプログラム、が提供される。
【図面の簡単な説明】
【００１７】
【図１】本発明の概要を説明するための図である。
【図２】タッチパネルによるユーザーインターフェイスを持つ情報処理装置の一例である。
【図３】本発明の第１の実施形態に係る情報処理装置の内部構成を示すブロック図である。
【図４】複数の押下点を検出することで情報処理装置を操作する場合のフローチャートである。
【図５】図４における、つまむ動作を説明するための図である。
【図６】図４において、複数のアイコンが選択対象となる場合の図である。
【図７】図４における、放す動作を説明するための図である。
【図８】第２の実施形態における制御部での動作を説明するフローチャートである。
【発明を実施するための形態】
【００１８】
はじめに、図１を用いて本発明の一実施形態の概要について説明する。以下、この概要に付記した図面参照符号は、専ら理解を助けるための例示であり、図示の態様に限定することを意図するものではない。
【００１９】
上述のように、タッチパネルを供えた情報処理装置において、アイコンを選択し、その後、選択したアイコンに対して何らかの操作を行う場合は、通常の動作と比較して、より複雑な操作が必要となる。
【００２０】
そこで、複数の押下点の検出が可能な接触検出部と、ユーザーが情報処理装置を操作する際の操作対象を表示する表示部と、を備える情報処理装置において、接触検出部が検出した複数の押下点のうち、隣接する押下点を接続して形成される第１の領域の外周距離が時間の経過と共に減少し、所定の値以下となるか否かを検出することで、ユーザーが対象物をつまもうとした動作を判定する（第１の操作判定）。
【００２１】
ここで、第１の領域内にアイコンが存在していれば、そのアイコンを操作対象として扱い、選択状態とする。この選択状態を保持したまま、接触検出部が検出した複数の押下点のうち、隣接する押下点を接続して形成される第２の領域の外周距離が時間の経過と共に増加し、所定の値以上となるか否かを検出することで、ユーザーが対象物を放そうとした動作を行ったか否かを判定する（第２の操作判定）。そして、第２の操作判定が行われた場所に応じて、選択対象としたアイコンに対して第１の動作を行う。
【００２２】
このように、接触検出部において複数の押下点を検出し、第１の操作判定と第２の操作判定を組み合わせてアイコンを操作することで、直感的で分かり易いインターフェイスを備える情報処理装置を提供する。
【００２３】
［第１の実施形態］
次に、本発明の第１の実施形態について、図３を用いてより詳細に説明する。図３は、本実施形態に係る情報処理装置１の内部構成を示すブロック図である。図３に示す情報処理装置１は、制御部１０と、記憶装置２０と、メモリ３０と、入力装置４０と、表示部５０と、電源部６０と、タッチパネル７０から構成されている。
【００２４】
制御部１０は、情報処理装置１全体の制御を実現し、入力装置４０、表示部５０、タッチパネル７０等により、ユーザーからの操作を受け付けると共に、その操作に対応する応答を行う。
【００２５】
記憶装置２０は、制御部１０に含まれるＣＰＵ（Ｃｅｎｔｒａｌ  Ｐｒｏｃｅｓｓｉｎｇ  Ｕｎｉｔ）において実行されるプログラが記憶されている。また、ユーザーが作成したテキストファイルや画像データなどの記憶も行う。
【００２６】
メモリ３０は、制御部１０でのプログラムの実行時に用いる主記憶装置である。
【００２７】
入力装置４０は、電源釦等のハードウェアキーである。
【００２８】
表示部５０は、ユーザーとのインターフェイスを提供するものであり、アイコンや操作メニュー等のユーザーによる操作対象を表示する。
【００２９】
電源部６０は、情報処理装置１の各構成部に電源を供給する。
【００３０】
タッチパネル７０は、上述の接触検出部に相当するものであり、表示部と一体で用いられ、ユーザーが指などで押下した位置を検出する。タッチパネル７０には、マルチタッチスクリーンのような２点以上の押下点を検出できるものを用いる。
【００３１】
次に、図３の構成を持つ情報処理装置１において、タッチパネル７０を用いた操作について説明する。図４が、タッチパネル７０を用いて情報処理装置１を操作する場合のフローチャートである。ユーザーの操作は、情報処理装置１のあるフォルダに存在するアイコンを別のフォルダに移動させる操作とする。
【００３２】
ステップＳ０１では、上述の第１の操作判定を行う。例えば、ユーザーが情報処理装置１のタッチパネル７０上の４箇所を同時に押し、その後４本の指を掌の中央に向かって徐々に狭める動作を行ったものとする。このような操作を行った場合にタッチパネル７０で検出される押下点を表したものが図５である。ユーザーが前述のような操作を行うと、タッチパネル７０では押下点Ａ１乃至Ｄ１の各点が検出される。そして、ユーザーが４本の指を動かして中央に集めてくると、押下点Ａ２乃至Ｄ２の各点が検出される。以下、ユーザーのこのような操作を「つまむ動作」と呼ぶ。
【００３３】
ステップＳ０１では、つまむ動作の検出を行うことになる。具体的には、制御部１０において、タッチパネル７０が複数の押下点を検出し、その複数の押下点で形成される領域の外周距離が時間と共に縮小し、一定値以下となるかを検出する。図５のように、タッチパネル７０上で押下点Ａ１乃至Ｄ１の４点の押下を検出した場合には、上記４点の押下点を常に検出（ポーリング）しながら、４点で形成される領域の外周距離を計算する。そして、４点で形成する領域の外周距離が予め定めた値以下となるか否かを検出する。図５の例では、押下点Ａ２乃至Ｄ２で形成する領域の外周距離が一定値以下となったとすれば、本ステップでの検出処理を終了する。
【００３４】
以上のように、押下点が３点以上であれば、隣接する押下点を接続して形成される多角形の外周距離を計算することになり、２点の押下点を検出した場合は、検出した２点間の距離を計算し、つまむ動作の検出を行う。
【００３５】
ステップＳ０２では、ステップＳ０１において、つまむ動作によりアイコンの選択が行われた否かを確認する。つまむ動作において、最初の押下点であるＡ１乃至Ｄ１で形成される領域内にアイコンが存在しない場合には、選択対象が存在しないため処理を終了する。アイコンが存在する場合には、ステップＳ０３に遷移する。
【００３６】
ステップＳ０３に遷移するのは、最初の押下点であるＡ１乃至Ｄ１で形成される領域内に１個以上のアイコンが存在する場合であるので、そのようなアイコンを選択状態にする。図６の例では、灰色のアイコンが選択対象となる。その際に、選択状態のアイコンと選択されていないアイコンの判別が出来るように、選択対象になったアイコンの色彩を表示部５０において変更する。色彩の変更は、選択対象のアイコンを擬似的に持ち上げたように見えるものが好ましい。
【００３７】
ステップＳ０４では、ユーザーが行う選択対象となったアイコンに対する処理を受け付ける。制御部１０では、入力装置４０やタッチパネル７０を通じて行われるユーザーの指示に従い画面の移動を行う。本ステップの操作により、移動させたいフォルダまで移動する。
【００３８】
ステップＳ０５では、つまむ動作によって為されたアイコンの選択を解除する必要があるか否かを検出する。例えば、情報処理装置１の電源が切られた場合にはアイコンの選択を解除し、電源部６０に対して省電力モードを設定する。
【００３９】
ステップＳ０６では、上述の第２の操作判定を行う。第２の操作判定は、上述の第１の操作判定とは逆の操作が行われたことを判定するものである。例えば、ユーザーが情報処理装置１のタッチパネル７０の４箇所を同時に押し、その後４本の指を掌の中央から外側に向かって広げる動作を行ったものとする。このような、操作を行った場合にタッチパネル７０で検出される押下点を表したものが図７である。ユーザーが前述のような操作を行うと、タッチパネル７０では押下点Ａ３乃至Ｄ３の各点が検出される。そして、ユーザーが４本の指を広げると、押下点Ａ４乃至Ｄ４の各点が検出される。以下、ユーザーのこのような操作を「放す動作」と呼ぶ。
【００４０】
ステップＳ０６では、放す動作の検出を行うことになる。具体的には、制御部１０において、タッチパネル７０が複数の押下点を検出し、その複数の押下点で形成される領域の外周距離が時間と共に増加し、一定値以上となるかを検出する。図７のように、タッチパネル７０上で押下点Ａ３乃至Ｄ３の４点の押下を検出した場合には、上記４点の押下点を常に検出（ポーリング）しながら、４点で形成される領域の外周距離を計算する。そして、４点で形成する領域の外周距離が予め定めた値以上となるか否かを検出する。図７の例では、押下点Ａ４乃至Ｄ４で形成される領域の外周距離が一定値以上となったとすれば、本ステップでの検出処理を終了する。
【００４１】
放す動作の検出は、つまむ動作の検出の逆であり、つまむ動作で４点の押下点を検出した場合には、放す動作でも４点の押下点の検出が必要となる。このように、つまむ動作と放す動作で押下点の数を一致させるのは、つまむ動作と放す動作間で行われるユーザー操作を誤検出するのを防止するためである。例えば、４本の指でつまむ動作を行い、複数のアイコンを選択状態にした後、アイコンを移動させる動作において２本の指により画面を拡大させる動作した場合、その動作を放す動作と検出したのではユーザーが意図しない操作となってしまう。
【００４２】
ステップＳ０７では、放す動作が行われた場所（フォルダ）に選択したアイコンを移動させる。その後、処理を終了する。
【００４３】
以上のように、タッチパネルにおいて複数の押下点を検出し、つまむ動作と放す動作によってアイコンを操作する。その結果、直感的で分かり易いインターフェイスを備える情報処理装置が提供できる。特に、複数の押下点により形成される領域によって、複数のアイコンを操作対象とすることができるため、複数のアイコンに対する操作を容易に行うことができる。
【００４４】
なお、本実施形態の説明においては、接触検出部としてタッチパネル７０を用いて説明したが、接触検出部はこれに限定されるものではない。接触検出部は、複数の押下点を検出できるものであれば、タブレットのような検出デバイスであってもよい。これは、以下の実施形態全てに共通する。
【００４５】
［第２の実施形態］
次に、本発明の第２の実施形態について、図８を用いてより詳細に説明する。本実施形態に係る情報処理装置の構成は第１の実施形態に係る情報処理装置と同じである。第１の実施形態に係る情報処理装置との相違点は、制御部１０における情報処理装置１の制御である。本実施形態におけるタッチパネル操作のフローチャートを図８に示す。
【００４６】
図４と図８の相違点は、図４のステップＳ０５においてアイコンの選択解除条件の確認を行っているが、この選択解除条件に、つまむ動作の検出を加えている点である。複数のアイコンを選択し、ユーザーが操作を行っている間につまむ動作を検出した場合にはステップＳ１２に戻り、再度アイコンの有無を確認する。その際に、当初のアイコンの選択状態は解除する。このように、選択解除条件に再度のつまむ動作を考慮することでアイコンの移動のキャンセルとアイコンの選択を同時に行うことができる。
【００４７】
［第３の実施形態］
続いて、第３の実施形態について詳細に説明する。本実施形態に係る情報処理装置の構成は第１の実施形態に係る情報処理装置と同じである。第１の実施形態に係る情報処理装置との相違点は、制御部１０における情報処理装置１の制御である。第１及び第２の実施形態では、複数のアイコンを選択し、放す動作によってアイコンを移動させる方法について説明した。本実施形態では、放す動作によってアイコンを移動させる以外の動作も可能であることを説明する。
【００４８】
図４のステップＳ０１で複数選択したアイコンが音楽ファイルや動画ファイルの場合であって、音楽ファイル等の再生に用いるプレイヤーのプログラム上で放す動作をした場合には、選択したファイルのプレイリストを作成させることが考えられる。プレイリストの作成は、専用のプログラムを用いて、候補曲等を逐次選択することで行うが、つまむ動作と放す動作を組み合わせるだけで、簡単にプレイリストの作成をすることができる。
【００４９】
若しくは、一定期間以上使用されていないファイルを複数「つまむ」ことで、これらのファイルを圧縮させることも考えられる。さらに、圧縮させたファイル上で放す動作を行った場合には圧縮ファイルの展開を行う。このように、複数選択したアイコンの属性によって、つまむ動作だけで何らかの動作をしても良い。
【００５０】
以上のように、複数のアイコンを選択した状態において、予めインストールされたソフトウェアを起動することによってソフトウェアの起動モードを決定することが可能となり、より分かり易いインターフェイスの提供が行える。
【００５１】
［第４の実施形態］
続いて、第４の実施形態について詳細に説明する。本実施形態に係る情報処理装置の構成は第１の実施形態に係る情報処理装置と同じである。第１の実施形態に係る情報処理装置との相違点は、制御部１０における情報処理装置１の制御である。
【００５２】
第１乃至第３の実施形態では、複数のアイコンを選択し、その複数のアイコンに対する操作を行う場合について説明したが、本実施形態ではアイコンの選択以外にも、つまむ動作及び放す動作を用いることができることを説明する。
【００５３】
情報処理装置１が任意の状態において、つまむ動作を行い、その時に選択範囲内にアイコンが存在しなければ、現在の情報処理装置１の状態をバックアップする契機とすることができる。その後、放す動作を行った場合には、バックアップした内容を復活させることが考えられる。例えば、情報処理装置１に新たなソフトウェアをインストールする前に、つまむ動作を行い、予めバックアップをしておいてから、ソフトウェアをインストールするといった用途が考えられる。
【００５４】
若しくは、つまむ動作をした場合にアイコンが存在しなければ、情報処理装置１に対してセキュリティロックを掛けることも考えられる。この場合、セキュリティロックを掛けた場所で放す動作をしなければセキュリティ解除が出来ない仕様とすれば、強固なセキュリティが簡便な操作で実現できる。
【００５５】
このように、つまむ動作と放す動作を組み合わせることで、つまむ動作の際に選択対象となるアイコンが存在せず、第１の動作を行わない時であっても、予め定められた第２の動作を実行し、その後の放す動作によって、第２の動作に対応した第３の動作をすることが可能になる。その結果、本来複雑な操作をより容易に実行することができる。
【００５６】
最後に、本発明の好ましい形態を要約する。
【００５７】
［第１の形態］
（上記第１の視点による情報処理装置参照）
【００５８】
［第２の形態］
第１の形態の情報処理装置において、
前記制御部は、前記第２の操作判定において、前記接触検出部が前記第１の領域を形成する押下点と同数の押下点を検出した場合に前記第２の操作判定を行う情報処理装置。
【００５９】
［第３の形態］
第１又は第２の形態の情報処理装置において、
前記表示部は、前記操作対象が選択状態の場合に、前記操作対象の色彩を変更する情報処理装置。
【００６０】
［第４の形態］
第１〜第３いずれか一の形態の情報処理装置において、
前記制御部は、所定の条件により、前記選択状態を解除する情報処理装置。
【００６１】
［第５の形態］
第１〜第４いずれか一の形態の情報処理装置において、
前記制御部は、前記第１の領域と重複する複数の前記操作対象に対し、前記第１の動作を行う情報処理装置。
【００６２】
［第６の形態］
第１〜第５いずれか一の形態の情報処理装置において、
前記第１の動作は、前記第２の操作判定が行われた場所に前記操作対象を移動する情報処理装置。
【００６３】
［第７の形態］
第１〜第６いずれか一の形態の情報処理装置において、
前記制御部は、前記選択状態で、予めインストールされたソフトウェアを起動することによって前記ソフトウェアの起動モードを決定する情報処理装置。
【００６４】
［第８の形態］
第１〜第７いずれか一の形態の情報処理装置において、
前記制御部は、前記第１の操作判定後、前記操作対象と前記第１の領域とで重複する部分がない場合には、予め定められた第２の動作を行い、前記第２の操作判定が行われた際に、前記第２の動作に対応した第３の動作を行う情報処理装置。
【００６５】
［第９の形態］
（上記第２の視点による情報処理装置の制御方法参照）
【００６６】
［第１０の形態］
第９の形態の情報処理装置の制御方法において、
前記第２の操作判定工程は、前記接触検出部が前記第１の領域を形成する押下点と同数の押下点を検出した場合に行われる情報処理装置の制御方法。
【００６７】
［第１１の形態］
第９又は第１０の形態の情報処理装置の制御方法において、
前記操作対象が選択された場合には、前記表示部に対して、前記操作対象の色彩を変更させる工程を含む情報処理装置の制御方法。
【００６８】
［第１２の形態］
第９〜第１１いずれか一の形態の情報処理装置の制御方法において、
所定の条件により、前記選択状態を解除する工程を含む情報処理装置の制御方法。
【００６９】
［第１３の形態］
第９〜第１２いずれか一の形態の情報処理装置の制御方法において、
前記操作対象を選択する工程は、前記第１の領域と重複する複数の前記操作対象を選択する情報処理装置の制御方法。
【００７０】
［第１４の形態］
第９〜第１３いずれか一の形態の情報処理装置の制御方法において、
前記第１の動作は、前記第２の操作判定工程が行われた場所に前記操作対象を移動する情報処理装置の制御方法。
【００７１】
［第１５の形態］
第９〜第１４いずれか一の形態の情報処理装置の制御方法において、
前記操作対象が選択された状態で、予めインストールされたソフトウェアを起動することによって前記ソフトウェアの起動モードを決定する工程を含む情報処理装置の制御方法。
【００７２】
［第１６の形態］
第９〜第１５いずれか一の形態の情報処理装置の制御方法において、
前記操作対象と前記第１の領域とで重複する部分がない場合には、予め定められた第２の動作を行い、前記第２の操作判定工程が行われた際に、前記第２の動作に対応した第３の動作を行う工程を含む情報処理装置の制御方法。
【００７３】
［第１７の形態］
（上記第３の視点によるプログラム参照）
【００７４】
［第１８の形態］
第１７の形態のプログラムにおいて、
前記第２の操作判定処理は、前記接触検出部が前記第１の領域を形成する押下点と同数の押下点を検出した場合に実行されるプログラム。
【００７５】
［第１９の形態］
第１７又は第１８の形態のプログラムにおいて、
前記操作対象が選択された場合には、前記表示部に対して、前記操作対象の色彩を変更させる処理を実行するプログラム。
【００７６】
［第２０の形態］
第１７〜第１９いずれか一の形態のプログラムにおいて、
所定の条件により、前記選択状態を解除する処理を実行するプログラム。
【００７７】
［第２１の形態］
第１７〜第２０いずれか一の形態のプログラムにおいて、
前記操作対象を選択する処理は、前記第１の領域と重複する複数の前記操作対象を選択するプログラム。
【００７８】
［第２２の形態］
第１７〜第２１いずれか一の形態のプログラムにおいて、
前記第１の動作は、前記第２の操作判定処理が行われた場所に前記操作対象を移動するプログラム。
【００７９】
［第２３の形態］
第１７〜第２２いずれか一の形態のプログラムにおいて、
前記操作対象が選択された状態で、予めインストールされたソフトウェアを起動することによって前記ソフトウェアの起動モードを決定する処理を実行するプログラム。
【００８０】
［第２４の形態］
第１７〜第２３いずれか一の形態のプログラムにおいて、
前記操作対象と前記第１の領域とで重複する部分がない場合には、予め定められた第２の動作を行い、前記第２の操作判定処理が行われた際に、前記第２の動作に対応した第３の動作を行う処理を実行するプログラム。
【００８１】
なお、上記の特許文献等の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。例えば、複数のアイコンを選択して、ゴミ箱のアイコン上で放す動作をすれば選択したアイコンを削除するようにも出来る。
【符号の説明】
【００８２】
１  情報処理装置
１０  制御部
２０  記憶装置
３０  メモリ
４０  入力装置
５０  表示部
６０  電源部
７０  タッチパネル
【図１】
2012043360.tif 000003
【図２】
2012043360.tif 000004
【図３】
2012043360.tif 000005
【図４】
2012043360.tif 000006
【図５】
2012043360.tif 000007
【図６】
2012043360.tif 000008
【図７】
2012043360.tif 000009
【図８】
2012043360.tif 000010
【国際調査報告】
2012043360.tif 000011
2012043360.tif 000012